(57)【特許請求の範囲】
【請求項１】
ケースと、
前記ケースに対して回転移動可能なフラップであって、フラップがケースに対して折り畳まれる折り畳み位置（Ｒ）と、フラップがケースに対してほぼ１８０゜の角度をなす展開位置（Ｄ）と、の２つの端位置の間でケースに対して様々な角位置を取ることができるフラップと、
フラップ位置検出手段と、
前記フラップ位置検出手段に接続されて独立した３つのモードを切り換え可能なスイッチであって、前記３つのモードは、前記フラップが展開位置（Ｄ）にあるときに電話呼を可能にする「オフフック」モードと、前記フラップが折り畳み位置（Ｒ）にあるときに継続中の電話呼を遮断する「オンフック」モードと、前記フラップ位置検出手段が前記フラップの前記展開位置（Ｄ）および折り畳み位置（Ｒ）の何れも検出しない中間位置（Ｉ）にあるときに、いわゆる「ハンズフリー」電話呼を可能にする「ハンズフリー」モードである、スイッチと
を含むことを特徴とする携帯電話装置。
【請求項２】
前記フラップが、中間位置（Ｉ）で、ケースに対してほぼ６０゜〜１２０゜の角度をなすことを特徴とする請求項１に記載の携帯電話装置。
【請求項３】
前記フラップ位置検出手段が、ケースおよびまたはフラップに配置されることを特徴とする請求項１または２に記載の携帯電話装置。
【請求項４】
前記フラップ位置検出手段が、ケースに面するように適合されたフラップの自由端部分に配置されることを特徴とする請求項３に記載の携帯電話装置。
【請求項５】
前記フラップ位置検出手段が、ケースに対するフラップの連結部の位置に配置されることを特徴とする請求項３または４に記載の携帯電話装置。
【請求項６】
前記フラップ位置検出手段が機械式であることを特徴とする請求項３から５のいずれか１項に記載の携帯電話装置。
【請求項７】
前記フラップ位置検出手段が、フラップに配置されたつめと、ケースに設けられて前記つめと相補的な形であり、スイッチをなすノッチとを含み、フラップが検出位置に来ると、つめがノッチにはめ込まれ、ノッチがスイッチに接続されて、対応する動作に切り換えるようにすることを特徴とする請求項６に記載の携帯電話装置。
【請求項８】
前記フラップ位置検出手段が、ケースに配置された少なくとも１つのプランジャを含み、フラップが検出位置に来ると、フラップの一部がプランジャと接触し、プランジャがスイッチに接続されて、対応する動作に切り換えるようにすることを特徴とする請求項６に記載の携帯電話装置。
【請求項９】
前記フラップ位置検出手段が電磁式であることを特徴とする請求項３から８いずれか１項に記載の携帯電話装置。
【請求項１０】
前記フラップ位置検出手段が、ケースに配置された磁界を感知する電気部品と、フラップに配置された磁石とを含むか、またはフラップに配置された磁界を感知する電気部品と、ケースに配置された磁石とを含むことを特徴とする請求項９に記載の携帯電話装置。
【請求項１１】
ケースと、折り畳み位置（Ｒ）および展開位置（Ｄ）の間でケースを中心として回転移動するフラップと、フラップの位置を検出する手段とを有する携帯電話装置の回路制御方法であって、
前記フラップが折り畳み位置（Ｒ）にある時は継続中の電話呼を遮断する「オンフック」回路を作動し、前記フラップが展開位置（Ｄ）にある時は電話呼を可能にする「オフフック」回路を作動し、前記フラップ位置検出手段が前記フラップの展開位置（Ｄ）および折り畳み位置（Ｒ）の何れも検出しない中間位置（Ｉ）にある時は「ハンズフリー」回路を作動することを特徴とする方法。
【発明の詳細な説明】
【０００１】
【発明の属する技術分野】
本発明は、ケースと、ケースに対して回転移動するフラップとを含む、携帯電話装置に関する。
【０００２】
このフラップは、２つの端位置の間でケースに対して、様々な角位置を取ることができ、２つの端位置は、
・  たとえば文字数字キーを覆うように、ケースに対してフラップが折り畳まれる折り畳み位置と、
・  ケースに対してフラップがほぼ１８０゜の角度をなす展開位置とである。
【０００３】
折り畳み位置では、フラップは一般にキーを保護し、展開位置ではキーへのアクセスを可能にする。
【０００４】
携帯電話装置はまた、フラップ位置の検出手段と、検出手段に接続されたスイッチとを含み、フラップが展開位置にあるときは、電話装置の呼を可能にする「オフフック」動作に切り換え、フラップが折り畳み位置にあるときは、継続中の電話装置の呼を遮断する「オンフフック」動作に切り換える。
【０００５】
【従来の技術】
携帯電話装置とは、特に、たとえば公衆交換網に接続される基地局に無線接続される電話装置や、あるいは、特にＧＳＭ型の無線通信ネットワークで動作する、いわゆるセルラ電話装置などの、あらゆるタイプの無線電話装置を意味する。
【０００６】
多数の携帯電話装置は、今後、耳または口の近くに電話装置を持たずに、呼を行ったり受信したりすることができる、いわゆるハンズフリーモードでの電話呼動作を含む。
【０００７】
対話者が会話を適切に聞き取れるようにするために、電話装置の音響レベルが増幅される。
【０００８】
従って、電話装置が耳または口から離れているときだけ、ハンズフリーモードが作動されることが必要不可欠である。
【０００９】
【発明が解決しようとする課題】
特に車両用の固定装置が存在し、固定装置に電話装置を置くと、ハンズフリー動作に自動的に切り換えられる。
【００１０】
しかし、この実施形態は、追加の装置がなければならないという欠点を有する。
【００１１】
固定装置がない場合、ハンズフリー動作の作動または非作動は、特定のキーまたはメニューの選択によって可能になる。
【００１２】
だが、この実施形態は複雑であり、作動が自動ではない。
【００１３】
他の携帯電話装置は、口または耳から電話装置を隔てる距離を検出可能な赤外線検出装置を備える。閾値となる距離によって、ハンズフリー動作を作動または非作動にすることができる。
【００１４】
こうした電話装置は、追加コンポーネントを必要とするので、ケースの寸法が大きくなり、また機器のコストが上がってしまう。
【００１５】
従って、本発明は、上記の欠点を解決することを目的とする。
【００１６】
【課題を解決するための手段】
このため、本発明は、上記のタイプの携帯電話装置を提案するものであり、スイッチがさらに、フラップが所定の中間位置にあるときに、いわゆる「ハンズフリーモード」での電話呼動作に切り換えるための手段を含むことを特徴とする。
【００１７】
フラップの中間位置は、通信中のユーザにとって快適ではないので、「ハンズフリー」動作が作動される場合は、ユーザは自動的に電話装置を遠ざける。
【００１８】
特定の実施形態によれば、フラップは、中間位置で、ケースに対してほぼ６０゜〜１２０゜の角度を形成する。
【００１９】
ケースに対するフラップ位置の検出手段は、機械式およびまたは電磁式にすることができる。
【００２０】
本発明はまた、ケースと、折り畳み位置と展開位置との間でケースを中心として回転移動するフラップと、フラップの位置を検出する手段とを有する携帯電話装置の、いわゆる「ハンズフリー」回路制御方法に関し、フラップ位置検出手段がフラップの展開位置および折り畳み位置の何れも検出しない中間位置にあるときに「ハンズフリー」回路を作動することを特徴とする。
【００２１】
本発明は、添付図面に関する以下の詳細な説明により、いっそう理解されるだろう。
【００２２】
【発明の実施の形態】
図示した携帯電話装置は移動体電話である。本発明はさらに、ハンズフリー用の、すなわち「ハンズフリーモード」による電話呼動作を備えた、あらゆる電話装置に拡大される。
【００２３】
電話装置は、一般に、ほぼ平行な２つの大きな面、すなわち前面２ａおよび背面２ｂを有する平行六面体形のケース１を有する。前面２ａおよび背面２ｂは、向かい合った２つの側面３と、上面４ａおよび下面４ｂの２つの面とにより相互に結合されている。
【００２４】
前面２ａは、スクリーン５と、文字数字キーパッド６と、下面４ｂ側に配置されたマイクロホン７と、上面４ａ側に配置されたスピーカ８とを含む。
【００２５】
電話装置はまた、ケース１の内部または外部に配置されるアンテナ９と、ケース１の内部に配置される無線回路１０とを含む（図８参照）。
【００２６】
無線回路１０は、一般にマイクロプロセッサである制御回路１１に接続される。
【００２７】
無線信号を受信すると、アンテナ９は、無線回路１０により処理される電気信号にこの信号を変換する。これらの信号に対応するデータは次に、制御回路１１に送られ、制御回路は、処理後、場合によってマイクロホン７およびスピーカ８にデータを送る。
【００２８】
制御回路１１は、「オフフック」動作、「オンフック」動作または「ハンズフリー」動作に適合するように構成することができる。
【００２９】
「オフフック」動作では、ユーザは、スピーカ８に耳を近づけ、マイクロホン７に口を近づけて、通話者と会話しなければならない。
【００３０】
「オンフック」動作では、ユーザは、通話者と会話することができない。
【００３１】
「ハンズフリー」動作では、ユーザは、頭を電話装置に近づけなくても通話者と会話することができる。
【００３２】
電話装置のハンズフリー使用を可能にする手段は、
−  ユーザの声の音響信号をピックアップすることができる少なくとも１つのマイクロホンと、
−  通話者から送信された音響信号を増幅して再生するための少なくとも１つのスピーカとを含む。
【００３３】
電話装置はまた、ケース１に対して回転移動可能なほぼ長方形のフラップ１２を含む。
【００３４】
より詳しくは、フラップ１２は、前面２ａを横断し、下面４ｂおよび上面４ａに対して平行な軸１３を中心として、連結されるように取り付けられる。フラップ１２は、フラップ１２に結合する２個のヒンジを備えた連結部１５を介して連結される（図１〜３、図５）。
【００３５】
図４の実施形態では、連結部１５は、単一のヒンジを含む。
【００３６】
もちろん、他の実施形態では、連結部１５が異なる数のヒンジを含んでもよい。
【００３７】
図示された実施形態では、ケース１は、その側面３に軸１３の固定点１４を含む。
【００３８】
図１〜４では、固定点１４は、下面４ｂ側に配置されるが、図５では、下面４ｂと上面４ａとの間のほぼ中間点に配置されている。
【００３９】
フラップ１２の連結部１５は、従来の連結部であるので、ここでは詳しく説明しない。
【００４０】
連結部は、フラップ１２が、２つの端位置の間で移動できるように構成される。２つの端位置は、
・  ケース１の前面２ａの少なくとも一部に対してフラップ１２が折り畳まれる折り畳み位置Ｒと、
・  ケース１の前面２ａに対してフラップ１２がほぼ１８０゜の角度をなす展開位置Ｄとである。
【００４１】
フラップ１２はまた、折り畳み位置Ｒと展開位置Ｄとの間に配置される所定の中間位置Ｉに移動可能である。
【００４２】
特定の実施形態では、中間位置Ｉにおいて、フラップ１２がケース１の前面２ａに対してほぼ９０゜の角度をなす。
【００４３】
この角度は、実施形態に応じて約６０゜〜１２０゜の変化が可能である。
【００４４】
図示していない実施形態では、ケース１ではなくフラップ１２が、文字数字キーパッド６およびまたはマイクロホン７を含むような構成を検討することができる。
【００４５】
制御回路１１は、次のようにプログラミングされる。
【００４６】
・  展開位置Ｄを検出すると「オフフック」動作を実行し、
・  折り畳み位置Ｒを検出すると「オンフック」動作を実行し、
・  中間位置Ｉを検出すると「ハンズフリー」動作を実行する。
【００４７】
選択された動作に応じて、制御回路１１は、マイクロホン７およびスピーカ８の音響レベルを制御する。
【００４８】
電話装置は、ケース１に対するフラップ１２の位置を検出可能な検出手段１６ａ、１６ｂ、１６ｃ、１６ｄを含む。
【００４９】
これらの検出手段１６ａ〜１６ｅは、フラップ１２の上または内部か、ケース１の上または内部か、あるいはその両方に配置される。
【００５０】
図１から図３の実施形態では、フラップ１２は、折り畳み位置Ｒでケース１の前面２ａに向かい合う内面１２ａにつめ１７を含む。より詳しくは、つめ１７は、連結部１５の反対側で、フラップ１２の第１の自由端部分１２ｂ側に配置される。
【００５１】
つめ１７は、内面１２ａに着脱不能にしっかりと固定される。
【００５２】
フラップ１２が、検出位置にあるとき、この場合は折り畳み位置Ｒにあるとき、つめ１７は、スイッチをなすノッチ１８にはめ込まれる。
【００５３】
ノッチ１８は、つめ１７の形とほぼ相補的な形をしている。ノッチ１８は、ケース１の前面２ａに設けられている。
【００５４】
ノッチ１８は、電気式または機械式にスイッチ１９に接続され、スイッチ１９は、制御回路１１を作動させ、検出位置に対応する動作に切り換えさせることができる。
【００５５】
かくして、つめ１７およびノッチ１８は、第１の検出手段１６ａを構成する。
【００５６】
従って、この場合、折り畳み位置Ｒが検出されると、「オンフック」動作が作動される。
【００５７】
後述する第２の検出手段１６ｂは、中間位置Ｉを検出するために連結部１５の位置に存在する。
【００５８】
図４を参照すると、フラップ１２は、連結部１５上に突出する２個のつめ１７’、１７”を含む。つめ１７’、１７”は、つめ１７と同様である。つめ１７’、１７”が、フラップ１２の回転を妨げないように、ケース１に溝または同等の手段（図示せず）を設け、フラップ１２の回転時に、つめがこの溝を移動するようにする。
【００５９】
つめ１７’、１７”は、軸１３に対して約９０゜の角度差で互いに離れているが、この角度差は、中間位置Ｉにおけるフラップ１２とケース１の前面２ａとの角度によって決められる。また、つめ１７’、１７”は、互いに平行でフラップ１２の主要面に垂直な２つの面に配置される。
【００６０】
スイッチ１９に接続されて、スイッチをなす２個のノッチ１８’、１８”は、ケース１の内部の連結部１５を受容可能な部分に設けられているので、つめ１７’、１７”は、フラップの位置に応じて、それぞれスイッチ１８’、１８”と接触する。
【００６１】
つめ１７’およびスイッチ１８’は、検出手段１６ｂを構成し、つめ１７”およびスイッチ１８”は、検出手段１６ｃを形成する。
【００６２】
つめ１７’、１７”の位置は、次のようになる。
【００６３】
−  つめ１７’がスイッチ１８’と接触するとき、フラップ１２は、中間位置Ｉにあり、「ハンズフリー」動作が作動される。
【００６４】
−  つめ１７”がスイッチ１８”と接触するとき、フラップ１２は、折り畳み位置Ｒにあり、「オンフック」動作が作動される。
【００６５】
図１から図３の実施形態では、中間位置Ｉおよび折り畳み位置Ｒを検出可能であり、展開位置Ｄに対しては特定の検出手段を設けない。実際、フラップ１２が中間位置Ｉにも折り畳み位置Ｒにもない場合、制御回路１１は「オフフック」モードを作動する。
【００６６】
他の実施形態では、たとえば展開位置Ｄに対して、検出手段１６ｂまたは１６ｃと同様の特定の検出手段を検討することができる。
【００６７】
図５の実施形態では、検出手段１６ｄは、ケース１の前面２ａ上に突出して配置される少なくとも１つのプランジャ２０を含む。
【００６８】
より詳しくは、前面２ａで連結部１５の両側に、２個のプランジャ２０、２０’が配置されているので、フラップ１２が折り畳み位置Ｒまたは展開位置Ｄにあるとき、フラップ１２の内面１２ａ、外面１２ｄの一部がそれぞれ、プランジャ２０、２０’に接触する。
【００６９】
このようにして一方のプランジャ２０は、ケース１の下面４ｂの方に近く、他方のプランジャ２０’は、上面４ａの方に近い。
【００７０】
プランジャ２０、２０’は、電気的または機械的にスイッチ１９に接続されるので、プランジャ２０、２０’が押されると、スイッチ１９は、検出位置に対応する動作の方に切り換えられる。
【００７１】
図１から図４の実施形態の場合と同様に、展開位置Ｄおよび折り畳み位置Ｒが検出されない場合、すなわちプランジャ２０、２０’のいずれもが押されていないとき、「ハンズフリー」動作が自動的に作動される。
【００７２】
中間位置Ｉに対しては、特定の検出手段を設けることも同様に可能である。
【００７３】
図６および図７の実施形態では、ケース１に対するフラップ１２の連結部１５の位置に、検出手段１６ｅを設けている。
【００７４】
かくして、各ヒンジは、外縁１５’に２個のノッチ２１、２２を含む。
【００７５】
これらのノッチ２１、２２は、互いに約９０゜の角度差がある。この角度差は、中間位置Ｉにおけるフラップ１２とケース１の前面２ａとの角度によって決められる。
【００７６】
スプリング動作を及ぼす、好適には可撓性の２個のアーム２３は、ケース１の下面４ｂに固定されて、上面４ａに向いている。
【００７７】
２個のアーム２３は、ケース１の前面２ａに平行な同一面において、互いにほぼ平行に延びている。
【００７８】
各アーム２３は、連結部１５に向かい合うように配置される。
【００７９】
各アーム２３は、連結軸１３に向かって垂直に突出する接合部２４を含む。
【００８０】
前面２ａは、接合部２４を含むアーム２３の位置に向き合う開口部Ｏを含む。
【００８１】
接合部２４は、ヒンジ１５ａ、１５ｂのノッチ２１、２２を受容可能な形状をしている。
【００８２】
さらに、接合部は、電気的または機械的にスイッチ１９に接続されている。
【００８３】
ノッチ２１、２２ならびに接合部２４は、フラップ１２がそれぞれ折り畳み位置Ｒ、中間位置Ｉにあるとき、それぞれノッチ２１、２２が、対応する接合部２４と協働するように配置される。
【００８４】
このようにして、ヒンジのノッチ２１が、アーム２３の接合部２４と係合するとき、折り畳み位置Ｒが検出され、それに結合される動作すなわち「オンフック」動作が作動される。
【００８５】
同様に、ヒンジのノッチ２２が、アーム２３の接合部２４と係合するとき、中間位置Ｉが検出され、結合される動作すなわち「ハンズフリー」動作が作動される。
【００８６】
図６の実施形態では、展開位置Ｄに対する検出手段は全く設けられていない。
従って、折り畳み位置Ｒも中間位置Ｉも検出されない場合、「オフフック」動作が作動される。
【００８７】
図７の実施形態では、ケース１の前面２ａで、下面４ｂの近傍に押しボタン２５が配置されている。
【００８８】
押しボタン２５は、連結軸１３に向かって垂直に突出しており、スイッチ１９に接続される。
【００８９】
押しボタン２５は、フラップが展開位置Ｄにあるとき、フラップ１２の外面１２ｄにより押され、押しボタン２５が押された位置で「オフフック」動作が作動するように構成される。
【００９０】
他の実施形態では、２個のヒンジのノッチ２１、２２と協働可能な２個の接合部２４を有する、単一アーム２３を設けてもよい。同様に、連結部１５のヒンジが一個である場合、ヒンジのノッチと協働可能な中央接合部２４を備えた単一アーム２３を検討することもできる。
【００９１】
さらに、別の実施形態では、上記の実施形態の検出手段１６ａ〜１６ｅの組み合わせを検討することも可能である。
【００９２】
本発明の実施形態では、検出手段１６ａ〜１６ｅは、機械式である。
【００９３】
しかしながら、検出手段を電気機械式または電磁式にするように構成してもよい。
【００９４】
従って、１つの実施形態では、検出手段が、フラップ１２内に配置された磁石と、たとえば、磁界を感知するホール効果センサなどの電気部品とを含み、電気部品は、ケース１内に配置され、スイッチ１９に接続される。
【００９５】
磁石をケース１に配置して電気部品をフラップ１２に配置する、逆の状態を検討することも可能である。
【００９６】
検出手段の他の実施形態もまた検討できる。
【図面の簡単な説明】
【図１】フラップが折り畳み位置にあるときの、本発明による携帯電話装置の第１の実施形態の側面概略図である。
【図２】フラップが中間位置にあるときの、図１の携帯電話装置の側面概略図である。
【図３】フラップが展開位置にあるときの、図１の携帯電話装置の側面概略図である。
【図４】フラップが中間位置にあり、検出手段の変形形態を示す、本発明による携帯電話装置の第２の実施形態の一部断面斜視図である。
【図５】フラップの折り畳み位置、中間位置、および展開位置を示す、本発明による携帯電話装置の第３の実施形態の側面概略図である。
【図６】フラップが折り畳み位置にあるときの、本発明による携帯電話装置の第４の実施形態の連結部の拡大横断面図である。
【図７】フラップが中間位置にあるときの、本発明による携帯電話装置の第４の実施形態の連結部の拡大横断面図である。
【図８】本発明による携帯電話装置のブロック図である。
【符号の説明】
１  ケース
２ａ  前面
２ｂ  背面
３  側面
４ａ  上面
４ｂ  下面
５  スクリーン
６  キーパッド
７  マイクロホン
８  スピーカ
９  アンテナ
１０  無線回路
１１  制御回路
１２  フラップ
１３  連結軸
１４  固定点
１５  連結部
１６ａ、１６ｂ、１６ｃ、１６ｄ、１６ｅ  フラップ位置検出手段
１７、１７’、１７”  つめ
１８、１８’、１８”、２１、２２  ノッチ
１９  スイッチ
２０、２０’  プランジャ
２３  アーム
２４  接合部
２５  押しボタン
【図１】
0004557352.tif 000002
【図２】
0004557352.tif 000003
【図３】
0004557352.tif 000004
【図４】
0004557352.tif 000005
【図５】
0004557352.tif 000006
【図６】
0004557352.tif 000007
【図７】
0004557352.tif 000008
【図８】
0004557352.tif 000009